(57)【要約】【課題】  部材にかかる応力の集中を分散して、眼鏡全体が受ける衝撃を効率的に吸収することができ、かつ、より高い着用安全性を実現することができる眼鏡の衝撃吸収機構を提供すること。【解決手段】  エンドピースＥは二本の弾性線材または板材を内外に並列配設して成り、外側には、弓形に撓曲した外側部材１が形態保持および補強のために配設され、かつ、この外側部材１の内側には、ヘアピン状に折返されて少なくとも凸曲型の第一撓曲部21と凹曲型の第二撓曲部22とを形成して成る緩衝ピース２が配設されており、テンプルＴの過拡開操作に対しては、前記緩衝ピース２の第一撓曲部21と第二撓曲部22とが拡幅方向に撓曲することによって外側部材１が受ける応力を均衡させる一方、テンプルＴの内側付勢に対しては、前記緩衝ピース２の第一撓曲部21と第二撓曲部22とが折縮方向に撓曲することによって外側部材１が受ける応力を均衡させる。【選択図】  図１
2006154207.tif 000002
【特許請求の範囲】
【請求項１】
眼鏡フロントの両側から持出配設され、端部にはテンプルＴが連結可能なエンドピースＥにおいて、
このエンドピースＥは二本の弾性線材または板材を内外に並列配設して成り、外側には、弓形に撓曲した外側部材１が形態保持および補強のために配設され、かつ、この外側部材１の内側には、ヘアピン状に折返されて少なくとも凸曲型の第一撓曲部21と凹曲型の第二撓曲部22とを形成して成る緩衝ピース２が配設されており、
テンプルＴの過拡開操作に対しては、前記緩衝ピース２の第一撓曲部21と第二撓曲部22とが拡幅方向に撓曲することによって外側部材１が受ける応力を均衡させる一方、テンプルＴの内側付勢に対しては、前記緩衝ピース２の第一撓曲部21と第二撓曲部22とが折縮方向に撓曲することによって外側部材１が受ける応力を均衡させることにより、内外部材の応力および伸縮差を均衡させて衝撃を吸収できることを特徴とする眼鏡の衝撃吸収機構。
【請求項２】
弾性材料から成るノーズパッド３のパッドアーム31の基端部31ａがリムＲの下縁側からフロント中央側に延成されており、下方からの衝撃も吸収できることを特徴とする請求項１記載の眼鏡の衝撃吸収機構。
【発明の詳細な説明】
【技術分野】
【０００１】
本発明は、眼鏡の改良、更に詳しくは、眼鏡着用中の不意の衝撃などから着用者の頭部および顔面を保護するための眼鏡の緩衝機構として、例えば、エンドピース部品として内外に弾性部材を並列させる場合であっても、外圧による衝撃を各部材に均等に伝達することによって、部材にかかる応力の集中を分散して、眼鏡全体が受ける衝撃を効率的に吸収することができ、かつ、より高い着用安全性を実現することができる眼鏡の衝撃吸収機構に関するものである。
【背景技術】
【０００２】
従来の眼鏡にあっては、眼鏡を掛けている際に、不意に受ける外部からの衝撃を吸収するため、あるいは、弾性作用により頭部が適度に付勢され、掛け心地を良くするために、エンドピース部分に復元弾性機能を付与した構造が開示されている（例えば、特許文献１参照）。
【０００３】
しかしながら、このようなコイルバネ式の構造については、当該コイル部分の隙間などに髪の毛が挟まってしまうなどして使い勝手が悪いという不満がある。
【０００４】
そこで、弾性部材を複合的に使用してエンドピースを作製しようとして、内外に弾性部材を並列させる構造にする場合にあっては、外力を受けた際に、内側部材と外側部材の何れか一方の部材にのみ大きな圧縮力あるいは引張力がかかってしまい、負担応力の不均衡であるため、かかる負荷が反復的にかけられると、材料の疲労度の差によって耐久性に問題を生じるおそれがある。
【特許文献１】特開2000−321539号公報（第３−４頁、第２−５図）
【発明の開示】
【発明が解決しようとする課題】
【０００５】
本発明は、従来の眼鏡に上記の問題点があったことに鑑みて為されたものであって、その目的とするところは、眼鏡着用中の不意の衝撃などから着用者の頭部および顔面を保護するための眼鏡の緩衝機構として、例えば、エンドピース部品として内外に弾性部材を並列させる場合であっても、外圧による衝撃を各部材に均等に伝達することによって、部材にかかる応力の集中を分散して、眼鏡全体が受ける衝撃を効率的に吸収することができ、かつ、より高い着用安全性を実現することができる眼鏡の衝撃吸収機構を提供することにある。
【課題を解決するための手段】
【０００６】
本発明者が上記課題を解決するために採用した手段を添付図面を参照して説明すれば次のとおりである。
【０００７】
即ち、本発明は、眼鏡フロントの両側から持出配設され、端部にはテンプルＴが連結可能なエンドピースＥにおいて、
このエンドピースＥは二本の弾性線材または板材を内外に並列配設して成り、外側には、弓形に撓曲した外側部材１が形態保持および補強のために配設され、かつ、この外側部材１の内側には、ヘアピン状に折返されて少なくとも凸曲型の第一撓曲部21と凹曲型の第二撓曲部22とを形成して成る緩衝ピース２が配設されており、
テンプルＴの過拡開操作に対しては、前記緩衝ピース２の第一撓曲部21と第二撓曲部22とが拡幅方向に撓曲することによって外側部材１が受ける応力を均衡させる一方、テンプルＴの内側付勢に対しては、前記緩衝ピース２の第一撓曲部21と第二撓曲部22とが折縮方向に撓曲することによって外側部材１が受ける応力を均衡させることにより、内外部材の応力および伸縮差を均衡させて衝撃を吸収できるようにするという技術的手段を採用した。  
【０００８】
また、本発明は、上記課題を解決するために、必要に応じて上記手段に加え、弾性材料から成るノーズパッド３のパッドアーム31の基端部31ａがリムＲの下縁側からフロント中央側に延成されており、下方からの衝撃も吸収できるようにするという技術的手段を採用した。
【発明の効果】
【０００９】
本発明による衝撃吸収機構によれば、このエンドピースを二本の弾性線材または板材を内外に並列配設して構成し、外側には、弓形に撓曲した外側部材を形態保持および補強のために配設し、かつ、この外側部材の内側には、ヘアピン状に折返されて少なくとも凸曲型の第一撓曲部と凹曲型の第二撓曲部とを形成して成る緩衝ピースを配設したことによって、エンドピース部品として内外に弾性部材を並列させる場合であっても、外圧による衝撃を各部材に均等に伝達することによって、部材にかかる応力の集中を分散することができる。
【００１０】
したがって、テンプルの過拡開操作および内側付勢に対して、前記緩衝ピースの第一撓曲部と第二撓曲部とが撓曲することによって外側部材が受ける応力を均衡させることにより、内外部材の応力および伸縮差を均衡させて衝撃を吸収でき、眼鏡の破損リスクを劇的に軽減できるとともに、眼鏡着用中の不意の衝撃などから着用者の頭部および顔面を保護することによって、より高い着用安全性をも実現することができることから、眼鏡における実用的利用価値は頗る高いものがある。
【発明を実施するための最良の形態】
【００１１】
本発明を実施するための最良の形態を具体的に図示した図面に基いて更に詳細に説明すると次のとおりである。
【００１２】
本発明の実施形態を図１から図４に基いて説明する。図中、符号１で指示するものは外側部材であり、この外側部材１は、弾性線材または板材（本実施形態では、β−チタン）を弓形に撓曲したものであって、また、符号２で指示するものは緩衝ピースであり、この緩衝ピース２は、ヘアピン状に折返されて少なくとも第一撓曲部21と第二撓曲部22とを形成して成る緩衝ピース２が配設されている。
【００１３】
しかして、本実施形態にあっては、眼鏡フロントの両側から持出配設され、端部にはテンプルＴが連結可能なエンドピースＥを構成するものであって、このエンドピースＥは前記二本の弾性線材または板材を内外に並列配設して成る。
【００１４】
具体的には、外側には、弓形に撓曲した外側部材１が形態保持および補強のために配設され、かつ、この外側部材１の内側には、ヘアピン状に折返されて第一撓曲部21と第二撓曲部22とを形成して成る緩衝ピース２が配設されている（図２参照）。
【００１５】
そして、かかる眼鏡におけるテンプルＴの過拡開操作に対しては、通常であれば、緩衝ピース２には外側部材１よりも大きな引張力がかかっていることになるけれども、前記緩衝ピース２の第一撓曲部21と第二撓曲部22とが拡幅方向（図中の矢印方向）に撓曲することによって外側部材１が受ける応力を均衡させることができる（図３参照）。
【００１６】
また、かかる眼鏡におけるテンプルＴの内側付勢に対しては、通常であれば、緩衝ピース２には外側ピース１よりも圧縮力が大きくかかっていることになるけれども、前記緩衝ピース２の第一撓曲部21と第二撓曲部22とが折縮方向（図中の矢印方向）に撓曲することによって外側部材１が受ける応力を均衡させることにより、内外部材の応力および伸縮差を均衡させて衝撃を吸収できる（図４参照）。
【００１７】
なお、本実施形態では、上記のようにエンドピース部分だけでなく、弾性材料から成るノーズパッド３のパッドアーム31の基端部31ａがリムＲの下縁側からフロント中央側に延成することができ、下方からの衝撃も吸収できる。また、このパッドアームは曲げバネ形に成形することができる。
【００１８】
本発明は概ね上記のように構成されるが、図示の実施形態に限定されるものでは決してなく、「特許請求の範囲」の記載内において種々の変更が可能であって、例えば、緩衝ピース２はヘアピン形状であって、外側部材の応力を分散できるものであれば、屈曲箇所を変更することができる。
【００１９】
また、外側部材１および緩衝ピース２の使用材料は、ニッケル・チタン系超弾性合金などの他の弾性金属や、高弾性樹脂材料などの弾性材料を採用しても良く、何れのものも本発明の技術的範囲に属する。
【図面の簡単な説明】
【００２０】
【図１】本発明の実施形態の眼鏡を表わす全体斜視図である。
【図２】本発明の実施形態の構造を表わす部分上面図である。
【図３】本発明の実施形態の構造を表わす部分上面図である。
【図４】本発明の実施形態の構造を表わす部分上面図である。
【符号の説明】
【００２１】
１    外側部材
２    緩衝ピース
21    第一撓曲部
22    第二撓曲部
３    ノーズパッド
31    パッドアーム
31ａ  基端部
Ｅ    エンドピース
Ｔ    テンプル  
Ｒ    リム
【図１】
2006154207.tif 000003
【図２】
2006154207.tif 000004
【図３】
2006154207.tif 000005
【図４】
2006154207.tif 000006